(57)【要約】      （修正有）【課題】携帯電話器に吊下げ取付けして紛失，置き忘れを防止し、しかも安定して書きやすく、不使用時に周囲をインク汚れさせるおそれのない携帯電話器用のストラップ付ボールペンを提供する。【解決手段】ボールペンのヘッドに携帯電話器との間で押し外しのできる吊下げ用のストラップを取付け、該ボールペンの内筒に芯先の突起を出入止めする鉤溝を設け、外筒に誘導用の螺旋溝を設けて、該ヘッドの回動にて芯先をペン先より出し入れするようにした。【選択図】図４
0003144122.tif 000002
【実用新案登録請求の範囲】
【請求項１】
ボールペンのヘッドに携帯電話器との間で押し外しのできる吊下げ用のストラップを取付け、該ボールペンの内筒に芯先の突起を出入止めする鉤溝を設け、外筒に誘導用の螺旋溝を設けて、該ヘッドの回動にて芯先をペン先より出し入れするようにしたことを特徴とする携帯電話器用のストラップ付ボールペン。
【請求項２】
鉤溝は軸方向に伸びる直線部の両端に互いに逆方向に伸びる掛止部を有して、芯先の突起を出し入れ時に掛止する請求項１に記載のストラップ付ボールペン。
【請求項３】
内筒のペン先側に芯先の出し入れを緩和するスリットを形成した請求項１また２に記載のストラップ付ボールペン。
【考案の詳細な説明】
【技術分野】
【０００１】
本考案は携帯電話器用のストラップ付ボールペンに関するものである。
【背景技術】
【０００２】
この種のストラップ付ボールペンとしては登録実用新案第３０８１４５８号公報がある。該公報は８頁の００１３〜００１４の項と図１および図５にて、筆記部を帯状又は扁平状タイプにして外形略Ｏ字形状をした外部フレーム部に装着し、外部フレームの出入口からペン先を出し入れすることを記載している。
【特許文献１】登録実用新案第３０８１４５８号公報
【考案の開示】
【考案が解決しようとする課題】
【０００３】
しかしながら、該公報のボールペンは、筆記部が帯状又は扁平状タイプによって持ちにくく書きづらいというという課題があり、またペン先の出入れ構造が不充分なために出入口から突出させたペン先が筆圧にて引っ込んで書けなくなったり、逆に不使用時にペン先が不意に突出して周囲をインク汚れさせるという課題がある。
【課題を解決するための手段】
【０００４】
本考案は、全長を丸軸状とするボールペンのヘッドに携帯電話器との間で押し外しのできる吊下げ用のストラップを取付け、該ボールペンの内筒に芯先の突起を出入止めする鉤溝を設け、外筒に誘導用の螺旋溝を設けて、該ヘッドの正逆回動にて芯先をペン先より出し入れするようにして、かかる課題を解決するようにしたのである。
【考案の効果】
【０００５】
本考案のボールペンは芯先の出し入れ時に突起を鉤溝の両端の掛止部に案内して掛止するので、安定して筆記することができ、また不使用時に芯先が不意にペン先に突出することが確実に防止されることとなって、周囲をインク汚れさせることがないという効果を生ずる。
スリットの開閉緩衝により芯先の出し入れ動作をスムーズに緩和することができるという効果を生ずる。
【０００６】
ボールペンはストラップにより携帯電話器に吊下げて携行することとなるので紛失，置き忘れを防止することができ、またストラップを押し外すことで、携帯電話器とフリーとなって軽快に筆記することができるという効果を生ずる。
【考案を実施するための最良の形態】
【０００７】
本考案は、ボールペンのヘッドに携帯電話器との間で押し外しのできる吊下げ用のストラップを取付け、該ボールペンの内筒に芯先の突起を出入止めする鉤溝を設け、外筒に芯先の出入誘導用の螺旋溝を設けて、芯先の出し入れを安定させるようにしたのである。
【実施例１】
【０００８】
図１，図２に示すようにボールペン１は持って書きやすい７ｃｍほどの長さの丸軸状にて形成し、携帯電話器Ｔに吊下げる押し外しのできるストラップ２をボールペン１のヘッド３に取付けている。ストラップ２は窓４ａ，４ｂ付のキャップ４を有して、該キャップ４の窓４ａ，４ｂにヘッド３のばね片３ａ，３ｂを臨ませていて、ばね片３ａ，３ｂを押すとストラップ２はヘッド３から簡単に外れるようになっている。
【０００９】
丸軸状のボールペン１は図３に部材別にて示すように、内筒５と、内筒５内に装着する芯先６と、内筒５を収納する外筒７とからなり、内筒５の側壁に軸方向に伸びる直線部５ａと、直線部５ａの両端に互いに逆方向に曲折してなる掛止部５ｂ，５ｃを備えた鉤溝５ｄを設けており、芯先６の側面より突出する突起６ａを鉤溝５ｄに嵌合し、外筒７は内壁に有底の螺旋溝７ａを設けて該突起６ａの先端を嵌挿している。５ｅは内筒５の抜け止め用の掛止環、８は滑り止め用のゴム輪である。
【００１０】
ボールペン１を使用するときは、図２に示すようにキャップ４の窓４ａ，４ｂに臨んでいるばね片３ａ，３ｂを押してストラップ２をボールペン１のヘッド３から外してフリーにして、図４（ａ）乃至（ｃ）に示すようにヘッド３を一方に廻して内筒５を回転させるのである。螺旋溝７ａに嵌挿する突起６ａは鉤溝５ｄの先側に移動して芯先６をペン先１ａから突出させることとなる。突起６ａは掛止部５ｂ内に入って掛止する。突起６ａが掛止部５ｂに入って掛止することで筆記圧がかかっても芯体６はペン先１ａ内に引っ込むことが全く生じないで安定して筆記することができることとなる。
【００１１】
筆記を終えたときはヘッド３を反対側に廻すのである。突起６ａは掛止部５ｂから直線部５ａを経て他方の掛止部５ｃ内に入ることで、芯先６は収納された状態にて止まることとなる。キャップ４をヘッド３にワンタッチ差し込みすることでストラップ２につながったボールペン１は携帯電話器Ｔに再吊下げされることとなる。突起６ａが掛止部５ｃ内にあって掛止することで芯先６が不意にペン先１ａに突出して周囲をインク汚れさせることは決して生じないことになる。
【実施例２】
【００１２】
図５は突起６ａ，鉤溝５ｄおよび螺旋溝７ａを２個所づつ設けたもので、芯材６の出入操作をスムーズにしてより安定させるようにしたほかは前例に同じである。
【実施例３】
【００１３】
図６は内筒５のペン先側に鉤溝の延長または独立して１本または一対のスリット９を形成した実施例を示すものである。スリット９の開閉緩衝により芯先６の出入り動作を緩和してスムーズさと安定感を向上するものとなる。
【００１４】
本考案のボールペンは、図７に示すように同色等にコーディネートしたストラップ付メモ用ブックＭと一緒に携帯電話器に吊下げることで一層便利さを持たせることができる。
【産業上の利用可能性】
【００１５】
本考案は、マスコットようの装飾性を有しつつ持ちやすくて安定した書きやすさを備えた筆記具としてあらゆる年齢層の携帯電話器に吊下げて広く利用することができるものである。
【図面の簡単な説明】
【００１６】
【図１】本考案の実施例のストラップ付ボールペンを携帯電話器に吊下げた状態にて示す斜視図
【図２】（ａ）は同、ストラップ付ボールペンの斜視図、（ｂ）はストラップより取外した状態の斜視図
【図３】同、部材別にて示す断面図
【図４】（ａ）乃至（ｃ）はヘッドを回転して芯先をペン先から繰出す過程を示す断面図
【図５】第２実施例を示す断面図
【図６】内筒のペン先側にスリットを形成した例を示す断面図
【図７】メモ用ブックとともに携帯電話器に吊下げた状態を示す斜視図
【符号の説明】
【００１７】
１はボールペン
１ａはペン先
２はストラップ
３はヘッド
３ａ，３ｂはばね片
４はキャップ
４ａ，４ｂは窓
５は内筒
５ａは直線部
５ｂ，５ｃは掛止部
５ｄは鉤溝
５ｅは掛止環
６は芯先
６ａは突起
７は外筒
７ａは螺旋溝
８は滑り止め用のゴム輪
９はスリット
Ｔは携帯電話器
Ｍはメモ用ブック
【図２】
0003144122.tif 000003
【図３】
0003144122.tif 000004
【図４】
0003144122.tif 000005
【図５】
0003144122.tif 000006
【図６】
0003144122.tif 000007
【図１】
0003144122.tif 000008
【図７】
0003144122.tif 000009